(57)【要約】【課題】  簡単な構成で、しかも、外部コネクタの着脱操作が容易に行えるようにしたプロジェクタを提供することを目的とする。【解決手段】外部コネクタ１１が接続されるコネクタ３ｃを有する端子ユニット３と、端子ユニット３と電気的に接続される制御手段４が実装されたコントローラボード４１と、制御手段４によって制御される光学系２と、コントローラボード４１および光学系２を収納する本体ケース５と、を備えたプロジェクタ１において、端子ユニット３は、本体ケース５の背面部５Ｒに、コネクタ３ｃの向きが変更可能なように装着する。【選択図】図３
2007271874.tif 000002
【特許請求の範囲】
【請求項１】
外部コネクタが接続される端子ユニットと、前記端子ユニットと電気的に接続される制御手段が実装されたコントローラボードと、前記制御手段によって制御される光学系と、前記コントローラボードおよび前記光学系を収納する本体ケースと、を備えたプロジェクタにおいて、
前記端子ユニットは、コネクタを実装したボードと、当該ボードを収納する分割型の端子ケースと、当該端子ケースに形成された断面形状が半円状の軸囲繞部により囲繞される支持軸とを備え、前記本体ケースの背面部に、前記支持軸が貫装される支持部を形成し、かつ、前記端子ケースを、前記支持軸により、前記支持部に回動可能なように軸支することにより、前記端子ユニットが、前記本体ケースの背面部に、前記コネクタの向きが変更可能なように装着したことを特徴とするプロジェクタ。
【請求項２】
外部コネクタが接続されるコネクタを有する端子ユニットと、前記端子ユニットと電気的に接続される制御手段が実装されたコントローラボードと、前記制御手段によって制御される光学系と、前記コントローラボードおよび前記光学系を収納する本体ケースと、を備えたプロジェクタにおいて、
前記端子ユニットは、前記本体ケースの背面部に、前記コネクタの向きが変更可能なように装着したことを特徴とするプロジェクタ。
【請求項３】
前記端子ユニットは、コネクタを実装したボードと、当該ボードを収納する端子ケースと、当該端子ケースに形成された断面形状が半円状の軸囲繞部により囲繞される支持軸とを備え、前記本体ケースの背面部に、前記支持軸が貫装される支持部を形成し、かつ、前記端子ユニットを、前記支持軸により、前記支持部に回動可能なように軸支したことを特徴とする請求項２に記載のプロジェクタ。
【請求項４】
前記端子ケースは、前記軸囲繞部を含めて上下に分割される分割型であることを特徴とする請求項２または請求項３に記載のプロジェクタ。
【請求項５】
前記支持軸は、内部が中空状で、その円周上の一部にスリットを形成し、前記端子ユニットに接続されるリード線を、前記スリットおよび前記支持軸の内部を通じて前記コントローラボードに導き、当該リード線により前記端子ユニットと、前記コントローラボードとを電気的に接続したことを特徴とする請求項１乃至請求項４のいずれかに記載のプロジェクタ。
【請求項６】
前記支持軸は、前記支持部内において、上下方向に移動可能に形成したことを特徴とする請求項１乃至請求項５のいずれかに記載のプロジェクタ。
【請求項７】
前記支持部は、上下方向に連なるスライド溝と、当該スライド溝に連なり、かつ、前記支持軸が嵌入される複数の係止溝から形成したことを特徴とする請求項６に記載のプロジェクタ。
【請求項８】
前記本体ケースの背面部は、凹段状に形成された凹部を有し、当該凹部の両端部の凸部に前記支持部が設けられ、当該支持部を前記支持軸が跨ぐように貫装され、前記凹部に前記端子ユニットの少なくとも一部が配設されるように形成したことを特徴とする請求項１乃至請求項７のいずれかに記載のプロジェクタ。
【発明の詳細な説明】
【技術分野】
【０００１】
本発明は、画像や文字などの視覚情報を投射してスクリーンなどに表示するプロジェクタに関し、特に、視覚情報信号を入力する外部コネクタの着脱操作を容易にしたものである。
【背景技術】
【０００２】
従来から、パソコン、ビデオカメラや光デスク再生装置などからの画像や文字などの視覚情報信号を基に、ランプユニットから出射される光を用いて、投射ユニット内の画像形成素子により画像や文字などの視覚情報を形成し、その視覚情報をスクリーンなどに投射して表示させるプロジェクタがある。
【０００３】
従来、この種プロジェクタでは、例えば、パソコンや光デスク再生装置などからの画像や文字などの視覚情報信号を入力するためのコネクタは、プロジェクタ本体のケースの背面に配設したものがある(例えば、特許文１参照）。
【０００４】
また、プリント基板の挿抜を容易にするために、電子回路に接続されるプリント基板が収容される第二の筐体を、ヒンジにより回動できるように連結するようにしたものがある(例えば、特許文献２参照）。また、基板から制御部へ配線される電線を、基板に電線を接続する近くである基板ホルダ本体に固定するようにしたものがある(例えば、特許文献３参照）。更に、フレキシブル印刷配線基板の中央部に円弧部を形成し、この円弧部を回動式表示体の回転中心となる支持部の支軸上に配置するようにしたものがある(例えば、特許文献４参照）。
【特許文献１】特開２００４−２６４７５９号公報
【特許文献２】実開平５−６９９９２号公報
【特許文献３】特開平１１−５４９６２号公報
【特許文献４】特開平９−３６５７５号公報
【発明の開示】
【発明が解決しようとする課題】
【０００５】
しかし、前述の特許文献１記載の構成では、外部コネクタが接続されるコネクタが、プロジェクタ本体のケースの背面に配設されているので、例えば、棚などに据え置いた場合、コネクタの位置が確認できず、手探りまたは、覗き込んで着脱を行う必要があり、極めて面倒である。また、通常の使用状態、例えば、机などの上にプロジェクタ本体を配置する場合、プロジェクタ本体の前を高くする。また、上部から吊り下げた棚などにプロジェクタ本体を配置する場合、プロジェクタ本体の前を低くすることとなる。このとき、コネクタに接続される外部コネクタのケーブル類は、傾斜した状態で接続されることになり、過度のストレスが加わり、断線する危惧があるなどといった問題があった。また、特許文献２記載の構成では、第二の筐体は、ヒンジにより回動できるようにしたものであり、特許文献３記載の構成では、ヒンジ部により、電線を電線収納凹部に固定するようにしたものである。更に、特許文献４記載の構成では、フレキシブル印刷配線基板の繰り返しの回動による印刷導線の断線を防止すようにしたものである。従って、仮に、特許文献１記載の構成と、特許文献２乃至特許文献４記載の構成とを組み合わせても、外部コネクタの着脱操作を容易できるようにすることはできない。
【０００６】
本発明は、上述した問題を解決するためになされたものであり、簡単な構成で、しかも、外部コネクタの着脱操作が容易に行えるようにしたプロジェクタを提供することを目的とする。
【課題を解決するための手段】
【０００７】
かかる目的を達成するため、本発明では、外部コネクタが接続される端子ユニットと、端子ユニットと電気的に接続される制御手段が実装されたコントローラボードと、制御手段によって制御される光学系と、コントローラボードおよび前記光学系を収納する本体ケースと、を備えたプロジェクタにおいて、端子ユニットは、コネクタを実装したボードと、当該ボードを収納する分割型の端子ケースと、当該端子ケースに形成された断面形状が半円状の軸囲繞部により囲繞される支持軸とを備え、本体ケースの背面部に、支持軸が貫装される支持部を形成し、かつ、端子ケースを、支持軸により、支持部に回動可能なように軸支することにより、端子ユニットが、本体ケースの背面部に、コネクタの向きが変更可能なように装着する。
【０００８】
この構成によれば、端子ユニットは、本体ケースの背面部に、コネクタの向きが変更可能なように装着されているので、プロジェクタおよび外部コネクタの設置状況応じて、コネクタの向きを変更することができる。この結果、端子ユニットのコネクタを目視しながら、外部コネクタの着脱を行うことができ、着脱操作性を高めることができる。また、外部コネクタのケーブル類は、設置面や天井などの障害物を避けた状態に引き回すことができるので、ケーブル類に過度のストレスが加わることがなく、長期間に亘って安定して使用することができ、この種装置の長寿命化を図ることができる。また、その構成は、本体ケースの背面部に形成した支持部に貫装された支持軸を、端子ケースに形成された断面形状が半円状の軸囲繞部により囲繞すればよく、極めて簡単である。更に、端子ケースが、断面形状が半円状の軸囲繞部を含めて上下に分割される分割型であるので、支持部に支持軸を貫装した後、上下に分割された端子ケースを組立てればよくいので、リード線などの接続作業などがし易い。
【０００９】
また、本発明においては、外部コネクタが接続されるコネクタを有する端子ユニットと、端子ユニットと電気的に接続される制御手段が実装されたコントローラボードと、制御手段によって制御される光学系と、コントローラボードおよび光学系を収納する本体ケースと、を備えたプロジェクタにおいて、端子ユニットは、本体ケースの背面部に、コネクタの向きが変更可能なように装着する。
【００１０】
この構成によれば、端子ユニットは、本体ケースの背面部に、コネクタの向きが変更可能なように装着されているので、プロジェクタおよび外部コネクタの設置状況応じて、コネクタの向きを変更することができる。この結果、端子ユニットのコネクタを目視しながら、外部コネクタの着脱を行うことができ、着脱操作性を高めることができる。また、外部コネクタのケーブル類は、設置面や天井などの障害物を避けた状態に引き回すことができるので、ケーブル類に過度のストレスが加わることがなく、長期間に亘って安定して使用することができ、この種装置の長寿命化を図ることができる。
【００１１】
また、本発明においては、端子ユニットは、コネクタを実装したボードと、当該ボードを収納する端子ケースと、当該端子ケースに形成された断面形状が半円状の軸囲繞部により囲繞される支持軸とを備え、本体ケースの背面部に、支持軸が貫装される支持部を形成し、かつ、端子ユニットを、支持軸により、支持部に回動可能なように軸支する。
【００１２】
この構成によれば、本体ケースの背面部に形成した支持部に貫装された支持軸を、端子ケースに形成された断面形状が半円状の軸囲繞部により囲繞すればよく、その構成は、極めて簡単である。
【００１３】
また、本発明においては、端子ケースは、軸囲繞部を含めて上下に分割される分割型に形成する。
【００１４】
この構成によれば、端子ケースが、断面形状が半円状の軸囲繞部を含めて上下に分割される分割型であるので、支持部に支持軸を貫装した後、上下に分割された端子ケースを一体的に組立てればよく、リード線などの接続作業などがし易い。
【００１５】
また、本発明においては、支持軸は、内部が中空状で、その円周上の一部にスリットを形成し、端子ユニットに接続されるリード線を、スリットおよび支持軸の内部を通じてコントローラボードに導き、当該リード線により端子ユニットと、コントローラボードとを電気的に接続する。
【００１６】
この構成によれば、端子ユニットと、コントローラボードとを電気的に接続するリード線が、支持軸内に配線されているので、リード線は、端子ユニットの回動に際しても不要なストレスを受けることがなく、都合がよい。
【００１７】
また、本発明においては、支持軸は、支持部内において、上下方向に移動可能に形成する。
【００１８】
この構成によれば、支持軸が、支持部内において、上下方向に移動可能に形成されているので、端子ユニットの上下方向の移動領域が広くなり、より最適な領域において、外部コネクタの着脱操作を行うことができ、都合がよい。
【００１９】
また、本発明においては、支持部は、上下方向に連なるスライド溝と、当該スライド溝に連なり、かつ、支持軸が嵌入される複数の係止溝から形成する。
【００２０】
この構成によれば、支持部が、上下方向に連なるスライド溝と、当該スライド溝に連なり、かつ、支持軸が嵌入される複数の係止溝が形成されているので、最適な係止溝に支持軸を係止した状態で、外部コネクタの着脱操作を行うことができ、都合がよい。
【００２１】
また、本発明においては、本体ケースの背面部は、凹段状に形成された凹部を有し、当該凹部の両端部の凸部に支持部が設けられ、当該支持部を支持軸が跨ぐように貫装され、凹部に端子ユニットの少なくとも一部が配設されるように形成する。
【００２２】
この構成によれば、本体ケースの背面部には、凹段状に形成された凹部を有し、当該凹部の両端部の凸部に支持部が設けられ、当該支持部を支持軸が跨ぐように貫装され、凹部に端子ユニットの少なくとも一部が配設されているので、この種装置全体を極めてコンパクトに構成することができ、都合がよい。
【発明の効果】
【００２３】
本発明によれば、簡単な構成で、しかも、外部コネクタの着脱操作が容易に行えるプロジェクタを得ることができる。
【発明を実施するための最良の形態】
【００２４】
（第１実施形態）
以下、本発明の第１実施形態を図１乃至図１０に基づいて説明する。図１は、本発明の第１実施形態に係るプロジェクタの概略構成を示す構成図、図２は、図１に示すプロジェクタの斜視図、図３は、図１に示すプロジェクタの要部を示す平面図である。図４は、ボードの一例を示す斜視図、図５は、端子ケースの一例を示す分解斜視図、図６は、支持軸の一例を示す正面図である。図７は、図３の側面図、図８は、図３のＸ−Ｘ視断面図である。図９は、図３に示す端子ユニットの正面断面図である。図１０は、図１に示すプロジェクタの設置例を示す概略図である。
【００２５】
図１に示すプロジェクタ１は、図示しないパソコンやビデオカメラ、光デスク再生装置などからの画像や文字などの視覚情報信号を基に、光学系２により画像や文字などの視覚情報を形成し、その視覚情報をスクリーンなどに投射して表示させるものである。このプロジェクタ１は、パソコンやビデオカメラ、光デスク再生装置などに繋がれた外部コネクタ１１が接続される後述する端子ユニット３と、この端子ユニット３に電気的に接続され、パソコンやビデオカメラ、光デスク再生装置などからの画像や文字などの視覚情報信号に基づいて光学系２や図示しない冷却ファンなどの制御を司る制御手段４とを備えている。
【００２６】
光学系２は、光源であるランプを有するランプユニット２１と、ランプユニット２１から放射された光を導光して出射させるライトトンネル２２と、画像形成素子にて形成した画像を、ライトトンネル２２から出射された光を用いて投射レンズ２３から投射させる画像投射ユニット２４とを備えている。制御手段４および図示しない制御手段４の動作プログラムなどが格納されたメモリは、コントローラボード４１に実装されている。これら光学系２と、制御手段４が実装されたコントローラボード４１とは、本体ケース５内に収納されている。本体ケース５には、投射レンズ２２の角度を調整するための上下方向に移動可能な調整ダイヤル１２や、図示しないが、ユーザが各種の指令を入力するための入力部などが設けられている。
【００２７】
かかる構成により、例えば、パソコンからの画像や文字などの視覚情報信号を基に制御手段４において、メモリに格納されたプログラムにより、ランプユニット２１、画像投射ユニット２４などを制御し、画像投射ユニット２４に内蔵した画像形成素子にて画像を形成し、その画像を投射レンズ２３からスクリーンや壁面などに投射表示する。
【００２８】
而して、本発明に従い、端子ユニット３は、図１乃至図３に示すように、本体ケース５の背面部５Ｒの凹段状に形成された凹部５１に、外部コネクタ１１が接続されるコネクタ３ｃの向きが変更可能なように装着されている。端子ユニット３は、例えば、図４に示すようなコネクタ３ｃを実装した入出力ボード（Ｉ／Ｏボード）などからなるボード３１と、当該ボード３１を収納する、例えば、図５に示すような分割型の端子ケース３２と、当該端子ケース３２に形成された断面形状が半円状の軸囲繞部３３により囲繞される、例えば、図６に示すような支持軸６とを備えている。
【００２９】
コネクタ３ｃとしては、例えば、ビデオ信号を入力する用のコネクタやＶＥＳＡ（Ｖｉｄｅｏ Ｅｌｅｃｔｒｏｎｉｃｓ Ｓｔａｎｄａｒｄ Ａｓｓｏｃｉａｔｉｏｎ）規格による信号を入力するＶＥＳＡ用のコネクタなどの各種コネクタが必要に応じて実装されている。また、ボード３１には、コントローラボード４１と電気的に接続するためのリード線３４が接続さる。端子ケース３２は、上ケース３２ａと、下ケース３２ｂとから形成され、例えば、下ケース３２ｂ側にボード３１が装着される。支持軸６には、例えば、図６に示すように、内部が中空状で、その円周上の一部にリード線３４を内部に導
出入するためのスリット６１、６２が形成されているとともに、後述するように、本体ケース５の背面部５Ｒに形成された支持部５２に貫装した際、当該支持軸６が回転するのを防ぐための留めフランジ６３が一方の端部に複数個設けられている。また、本体ケース５の背面部５Ｒの凹段状に形成された凹部５１の両端部の凸部５２には、支持軸６を支持する貫通孔からなる支持部５３が形成されている。
【００３０】
次に、端子ユニット３の組み立て方法について説明する。先ず、図３、図７および図８に示すように、予めプロジェクタ１本体が完成した状態で、本体ケース５の背面部５Ｒの凹部５１の両端部の凸部５２に形成された支持部５３−５３を跨ぐように支持軸６を貫装する。このとき、コントローラボード４１に接続されたリード線３４を、一方の凸部５２内から支持軸６のスリット６２および支持軸６の内部を経由して支持軸６のスリット６１から導出しておく。その後、予めボード３１を装着した下ケース３２ｂを、軸囲繞部３３が支持軸６の下側から囲繞するように配設し、この状態で、リード線３４と、ボード３１とを電気的に接続する。しかる後、上ケース３２ａを、例えば、図９に示すように、軸囲繞部３３が支持軸６の上側から囲繞するように配設し、上ケース３２ａと、下ケース３２ｂとを、例えば、接着するなどして一体的に形成する。かかる構成により、端子ケース３２は、支持軸６により、支持部５３に回動可能なように軸支され、従って、端子ユニット３は、本体ケース５の背面部５Ｒに、コネクタ３１の向きが変更可能なように装着されることとなる。
【００３１】
以上の構成による本実施形態では、端子ユニット３は、本体ケース５の背面部５Ｒに、コネクタ３１の向きが変更可能なように装着されているので、プロジェクタ１および外部コネクタ１１の設置状況応じて、コネクタ３１の向きを変更することができる。この結果、端子ユニット３のコネクタ３ｃを目視しながら、外部コネクタ１１の着脱を行うことができ、着脱操作性を高めることができる。また、外部コネクタ１１のケーブル類は、例えば、図１０に示すように、棚７などに設置した場合、設置面７１や天板（天井）７２などの障害物を避けた状態、端子ユニット３を設置面に水平に引き回すことができる。この結果、ケーブル類に過度のストレスが加わることがなく、長期間に亘って安定して使用することができ、この種装置の長寿命化を図ることができる。
【００３２】
また、本体ケース５の背面部５Ｒに形成した支持部５３に貫装された支持軸６を、端子ケース３２に形成された断面形状が半円状の軸囲繞部３３により囲繞すればよく、その構成は、極めて簡単である。
【００３３】
また、端子ケース３２が、断面形状が半円状の軸囲繞部３３を含めて上下に分割される分割型であるので、支持部５３に支持軸６を貫装した後、上下に分割された端子ケース３２を一体的に組立てればよく、リード線３４などの接続作業などがし易い。
【００３４】
また、端子ユニット３と、コントローラボード４１とを電気的に接続するリード線３４が、支持軸６内に配線されているので、リード線３４は、端子ユニット３の回動に際しても不要なストレスを受けることがなく、都合がよい。
【００３５】
更に、本体ケース５の背面部５Ｒには、凹段状に形成された凹部５１を有し、当該凹部５１の両端部の凸部５２に支持部５３が設けられ、当該支持部５３を支持軸６が跨ぐように貫装され、凹部５１に端子ユニット３の少なくとも一部が配設されているので、この種装置全体を極めてコンパクトに構成することができ、都合がよい。
【００３６】
（第２実施形態）
次に、本発明の第２実施形態について図１１を参照しながら説明する。図１１は、本発明の第２実施形態に係るプロジェクタの概略構成を示す概略構成図である。なお、図１１において、上述した図１乃至図１０と同じ符号を付した部分は、略同一のものを示すため、ここでは詳細な説明は省略する。以下、上述した実施形態との相違点を中心に説明する。
【００３７】
本実施形態では、図１１に示す様に、例えば、支持部５３を円弧状の長孔に形成し、支持軸６が、円弧状の長孔からなる支持部５３内において、矢印で示すよう上下方向に移動可能に形成したものである。かかる構成により、端子ユニット３は、本体ケース５の背面部に、コネクタ３ｃの向きが変更可能なように装着されることとなる。
【００３８】
以上の構成による本実施形態よれば、上述した実施形態と同様の作用効果を奏する他、支持軸６が、支持部５３内において、上下方向に移動可能に形成されているので、端子ユニット３の上下方向の移動領域が広くなり、より最適な領域において、外部コネクタの着脱操作を行うことができ、都合がよい。
【００３９】
（第３実施形態）
次に、本発明の第３実施形態について図１２および図１３を参照しながら説明する。図１２は、本発明の第３実施形態に係るプロジェクタの概略構成を示す概略構成図、図１３は、図１２に示すプロジェクタの支持軸の一例を示す要部斜視図である。なお、図１２および図１３において、上述した図１乃至図１１と同じ符号を付した部分は、略同一のものを示すため、ここでは詳細な説明は省略する。以下、上述した実施形態との相違点を中心に説明する。
【００４０】
本実施形態では、図１２および図１３に示す様に、例えば、支持部５３は、上下方向に連なるスライド溝５３ａと、当該スライド溝５３ａに連なり、かつ、支持軸６の、例えば、端部に形成された、係合部６４が嵌入される複数の係止溝５３ｂを形成したものである。かかる構成により、端子ユニット３は、本体ケース５の背面部に、コネクタ３ｃの向きが変更可能なように装着されることとなる。
【００４１】
以上の構成による本実施形態よれば、上述した実施形態と同様の作用効果を奏する他、支持部５３が、上下方向に連なるスライド溝５３ａと、当該スライド溝５３ａに連なり、かつ、支持軸６の、例えば、係合部６４が嵌入される複数の係止溝５３ｂが形成されているので、最適な係止溝５３ｂに支持軸６を係止した状態で、外部コネクタの着脱操作を行うことができ、都合がよい。
【００４２】
なお、上述した実施形態は、本発明の好適な実施例であるが、本発明はこれに限定されるものではなく、本発明の要旨を逸脱しない範囲において、種々変形実施可能である。
【００４３】
例えば、上述の第１実施形態では、端子ケース３２を分割型のものとして説明したが、本体ケース５についても上下に分割する形式のものや、胴部と蓋とから構成することもできる。このような分割形式の本体ケース５を用いた場合、支持軸６として両端部に留めフランジ６３を設けたものを用いても良いのは、勿論である。
【００４４】
また、上述の第１実施形態では、分割型の端子ケース３２を接着により一体化したが、例えば、嵌め合い方式など他の手段により、一体化するようにしても良いのは、勿論である。
【００４５】
また、端子ユニット３を回動して、コネクタ３ｃの向きを所望の方向に保持するのに、例えば、所望の角度で保持できるようにしたヒンジ機構や、他の保持手段などを用いても良いのは、勿論である。
【００４６】
更に、上述の実施形態では、プロジェクタを棚などに設置する場合について述べたが、例えば、天井などから吊り下げた設置台に設置するようにしても良いのは、勿論である。
【図面の簡単な説明】
【００４７】
【図１】本発明の第１実施形態に係るプロジェクタの概略構成を示す構成図である。
【図２】図１に示すプロジェクタの斜視図である。
【図３】図１に示すプロジェクタの要部を示す平面図である。
【図４】ボードの一例を示す斜視図である。
【図５】端子ケースの一例を示す分解斜視図である。
【図６】支持軸の一例を示す正面図である。
【図７】図３の側面図である。
【図８】図３のＸ−Ｘ視断面図である。
【図９】図３に示す端子ユニットの正面断面図である。
【図１０】図１に示すプロジェクタの設置例を示す概略図である。
【図１１】本発明の第２実施形態に係るプロジェクタの概略構成を示す概略構成図である。
【図１２】本発明の第３実施形態に係るプロジェクタの概略構成を示す概略構成図である。
【図１３】図１２に示すプロジェクタの支持軸の一例を示す要部斜視図である。
【符号の説明】
【００４８】
１      プロジェクタ
１１    外部コネクタ
２      光学系
３      端子ユニット
３ｃ    コネクタ（入出力ボード：Ｉ／Ｏボード）
３１    ボード
３２    端子ケース
３３    軸囲繞部
３４    リード線
４      制御手段
４１    コントローラボード
５      本体ケース
５Ｒ    背面部
５１    凹部
５２    凸部
５３    支持部
５３ａ  スライド溝
５３ｂ  係止溝
６      支持軸
６１    スリット
６２    スリット
【図１】
2007271874.tif 000003
【図２】
2007271874.tif 000004
【図３】
2007271874.tif 000005
【図４】
2007271874.tif 000006
【図５】
2007271874.tif 000007
【図６】
2007271874.tif 000008
【図７】
2007271874.tif 000009
【図８】
2007271874.tif 000010
【図９】
2007271874.tif 000011
【図１０】
2007271874.tif 000012
【図１１】
2007271874.tif 000013
【図１２】
2007271874.tif 000014
【図１３】
2007271874.tif 000015